(57)【要約】【課題】検知ユニットとマグネットで窓等の開閉を検知する磁気検知式センサにおいて非正規マグネットを用いた画策行為を確実に検知する。【解決手段】磁気検知式センサ１は、引き違いのサッシ2,3 の一方に設けられるマグネット７と他方に設けられて磁界を検知する検知ユニット５を有する。検知ユニットは、サッシが閉止される位置（基準位置）でマグネットと対向して磁界を検知する位置に配置されたリードスイッチ10と、マグネットから生じる磁界のみでは共に磁界を検知しない対向軸Ｌを挟む２位置に配置されたMRセンサ11,12 と、リードスイッチが磁界を検知するとサッシが閉止位置に有ると判定し、２つのMRセンサが共に磁界を検知すると異常が有ると判定する制御部20を備える。【選択図】図１
2015191510.tif 000002
【特許請求の範囲】
【請求項１】
位置関係を相対的に変更可能な２つの部材のうち、一方に設けられるマグネットと、他方に設けられて磁界を検知する検知ユニットとから構成され、前記２つの部材が所定の位置関係となる基準位置において向かい合う位置に設置されて使用される磁気検知式センサであって、
前記検知ユニットは、
前記基準位置において前記マグネットと対向する位置であって前記マグネットから生じる磁界を検知する位置に配置された第１の磁界検知部と、
前記基準位置において前記マグネットと前記第１の磁界検知部を結ぶ対向軸を挟む２つの位置であって前記マグネットから生じる磁界のみでは共に磁界を検知しない２つの位置の各々に配置された第２の磁界検知部及び第３の磁界検知部と、
前記第１の磁界検知部が磁界を検知すると前記２つの部材が前記基準位置に有ると判定し、前記第２の磁界検知部及び前記第３の磁界検知部が共に磁界を検知すると異常が有ると判定する制御部と、
を備えることを特徴とする磁気検知式センサ。
【請求項２】
前記制御部は、前記第１の磁界検知部が磁界を検知し、かつ前記第２の磁界検知部と前記第３の磁界検知部のいずれか一方が磁界を検知した場合には、異常が有ると判定することなく前記２つの部材が前記基準位置に有ると判定することを特徴とする請求項１に記載の磁気検知式センサ。
【発明の詳細な説明】
【技術分野】
【０００１】
本発明は、磁石の磁気で作動するスイッチ等の出力により扉や窓等の開閉を検知する磁気検知式センサに係り、特に非正規の磁石をスイッチ等に近接させて扉や窓等の開閉を検知できなくすることを試みる画策行為を検出できる磁気検知式センサに関するものである。
【背景技術】
【０００２】
下記特許文献１には磁気検知式センサの発明が開示されている。この磁気検知式センサは、リードスイッチを有する検知ユニットとマグネットから構成される。そして、位置関係を相対的に変更可能な２つの部材（ドア枠とドア）のうち、その一方（ドア枠）に検知ユニットを設けるとともに、その他方（ドア）にマグネットを設け、これら２つの部材が所定の位置関係となる基準位置（ドア閉鎖状態の位置）において検知ユニットとマグネットが互いに向かい合うようにする。２つの部材が基準位置にある場合には、マグネットの磁界によって検知ユニットのリードスイッチがＯＮとなり、２つの部材が基準位置以外の位置にある場合には、マグネットの磁界が検知ユニットから離れてリードスイッチがＯＦＦとなるので、検知ユニットのリードスイッチの出力信号によって２つの部材の位置関係を検知することができる。
【０００３】
図１０は、上に説明したような磁気検知式センサを引き違い方式の窓に設置した状態を示す図である。具体的には、引き違い方式の窓を構成する２枚のサッシ１００，１０１の内、屋内側のサッシ１００の枠外面（クレセント錠１０２がある面）に検知ユニット２００を取り付け、屋外側のサッシ１０１のガラス面の前記検知ユニット２００と対向する位置にマグネット２０１を設置することにより、サッシ１００，１０１が閉められた状態において検知ユニット２００とマグネット２０１の距離が最も近く、互いに対向するように構成する。従って、サッシ１００，１０１が閉められていれば、マグネット２０１と対向する位置にある検知ユニット２００のリードスイッチはマグネット２０１の磁界によってＯＮとなり、この検知ユニット２００からの出力信号を無線で受信した図示しない制御部では窓が閉められた状態にあることを遠隔的に検知することができる。また、サッシ１００，１０１が開かれれば、検知ユニット２００はマグネット２０１から離れるのでリードスイッチはＯＦＦとなり、制御部では窓が開いたことを遠隔的に検知することができる。
【先行技術文献】
【特許文献】
【０００４】
【特許文献１】特開平９−２４５２６６号公報
【発明の概要】
【発明が解決しようとする課題】
【０００５】
しかしながら、このように窓に取り付けられた磁気検知式センサは、磁気検知式センサの一部を構成する前記マグネットとは異なるもう一つの非正規のマグネットを使用することにより、窓を開けても磁気検知式センサが作動しないようにする行為が行なわれる可能性があった（以下、このような行為を「画策行為」と呼ぶ）。画策用マグネットを、検知ユニット２００に対して磁界の影響が及ぶように外部から接近させると、正規のマグネット２０１が移動して、検知ユニット２００に対してその磁界の影響が及ばなくなっても、画策用マグネットが依然として検知ユニット２００に対して磁界の影響を与え続け、検知ユニット２００のリードスイッチの接点はＯＮ状態を維持してしまう可能性がある。
もっとも、特許文献１に記載されたようなドア枠とドアに設ける場合は外部からマグネットの位置を視認できなかったことからこのような画策行為を成功させるのは極めて困難であった。
これに対し、引き違い方式の開閉機構（窓枠と２つの窓）においては、特許文献１の設置態様と同じようにして、２つの窓にマグネットをそれぞれ設け、これらにそれぞれ対応するように窓枠に２つの検知ユニットを設ける場合、検知ユニットとマグネットの組を２つ設置する必要があることから室内の美観を損ねることとなる。
近年では、美観を向上させることの社会的な要請が強まってきており、２つの窓のうちの一方の窓に検知ユニットを設け、他方の窓にマグネットを設け、検知ユニットとマグネットの組を１つだけ設置することで、室内の美観を極力損ねないようにする図１０のような設置態様が増えつつある。
そして、このような設置態様においては、マグネットの位置を外部から視認可能であるため、上述のような画策行為に対して対策をする必要が生じてきた。
【０００６】
本発明は、以上説明した従来の課題を解決するためになされたものであり、検知ユニットとマグネットによって窓等の開閉を検知する磁気検知式センサにおいて、非正規のマグネットを用いた画策行為を誤報なく確実に検知できるようにすることを目的としている。
【課題を解決するための手段】
【０００７】
本発明に係る磁気検知式センサは、
位置関係を相対的に変更可能な２つの部材のうち、一方に設けられるマグネットと、他方に設けられて磁界を検知する検知ユニットとから構成され、前記２つの部材が所定の位置関係となる基準位置において向かい合う位置に設置されて使用される磁気検知式センサであって、
前記検知ユニットは、
前記基準位置において前記マグネットと対向する位置であって前記マグネットから生じる磁界を検知する位置に配置された第１の磁界検知部と、
前記基準位置において前記マグネットと前記第１の磁界検知部を結ぶ対向軸を挟む２つの位置であって前記マグネットから生じる磁界のみでは共に磁界を検知しない２つの位置の各々に配置された第２の磁界検知部及び第３の磁界検知部と、
前記第１の磁界検知部が磁界を検知すると前記２つの部材が前記基準位置に有ると判定し、前記第２の磁界検知部及び前記第３の磁界検知部が共に磁界を検知すると異常が有ると判定する制御部と、
を備えることを特徴としている。
なお、本発明に係る磁気検知式センサは、特定の位置関係に配置された場合に後述するような一定の作用効果を奏するマグネットと検知ユニットのみから構成される発明であって、位置関係を相対的に変更可能な２つの部材を直接の構成要件とするものではない。すなわち、後述するような一定の作用効果を奏するような使用態様が可能なマグネットと検知ユニットの組み合わせであれば、位置関係を相対的に変更可能な２つの部材が直接の構成要件として含まれていなくとも、本発明の技術的範囲に含まれる。
【０００８】
また、本発明に係る磁気検知式センサにおいて、さらに、
前記制御部は、前記第１の磁界検知部が磁界を検知し、かつ前記第２の磁界検知部と前記第３の磁界検知部のいずれか一方が磁界を検知した場合には、異常が有ると判定することなく前記２つの部材が前記基準位置に有ると判定してもよい。
【発明の効果】
【０００９】
本発明に係る磁気検知式センサによれば、２つの部材が基準位置にある場合には、マグネットと検知ユニットは互いに対向する位置にある。このため、画策行為がなければ、第１の磁界検知部はマグネットの磁界を検知するが、第２及び第３の磁界検知部はマグネットの磁界を検知しない状態となる。従って、制御部は、異常があったとは判定せず、第１の磁界検知部の検知結果に基づいて２つの部材が基準位置に有ると判定する。２つの部材が基準位置にない場合には、マグネットと検知ユニットは互いに対向する位置になく、離れている。このため、画策行為がなければ、第１〜第３の各磁界検知部はいずれもマグネットの磁界を検知しない。従って、制御部は、異常があったとは判定せず、検知ユニットの検知結果に基づいて２つの部材が基準位置とは異なる位置にあると判定する。
【００１０】
２つの部材が基準位置にある場合において、画策者が、画策用マグネットを正規のマグネットに対して互いに反発する同極の磁極が近接するような位置関係で接近させたとする。この場合、マグネットの磁界が変化し、この変化したマグネットの磁界を第１〜第３の各磁界検知部が検知する。このとき、制御部は、第２及び第３の各磁界検知部がマグネットの磁界を検知した結果に基づいて異常があったと判定する。
【００１１】
２つの部材が基準位置にある場合において、画策者が、画策用マグネットを正規のマグネットに対して互いに引き寄せられる異極の磁極が近接するような位置関係で接近させたとする。この場合、マグネットの磁界が変化し、第１〜第３の各磁界検知部はいずれもマグネットの磁界を検知しなくなる。このとき、制御部は、第１の磁界検知部がマグネットの磁界を検知しなくなった結果に基づいて、２つの部材が基準位置とは異なる位置にあると判定することができる。
【００１２】
なお、この状態から、画策者が検知ユニットと画策用マグネットとの位置関係を保ちながら、２つの部材の一方又は両方を移動させ、正規のマグネットが検知ユニットから離れ、検知ユニットには画策用マグネットのみが対向した状態になると、検知ユニットの第１〜第３の各磁界検知部が画策用マグネットの磁界を検知する状態となる。このとき、制御部は、第２及び第３の各磁界検知部がマグネットの磁界を検知した結果に基づいて異常があったと判定する。
【００１３】
また、本発明に係る磁気検知式センサによれば、第１の磁界検知部が磁界を検知し、かつ第２の磁界検知部と第３の磁界検知部のいずれか一方が磁界を検知した場合には、制御部は異常が有るとは判定しないので、誤報が発令されることは防止される。各磁気検知部のこのような検知状態は、２つの部材が基準位置と考えられる位置にあり、画策行為がない場合であっても、次のような場合には発生することが考えられる。例えば、検知ユニット又はマグネットの一方又は両方が設置時又は設置後にずれたり、がたつきが生じ、また相対移動可能な２つの部材の位置関係に構造的なずれやがたつきが生じたような場合である。なお、そのような場合には、制御部は異常と判定しないだけでなく、さらに、この検知結果を積極的に利用して部材の位置関係等にずれやがたつき等、何らかの不具合があるとの判定を行ない、この判定結果を外部に出力すれば、ユーザーの注意を喚起することもできる。
【図面の簡単な説明】
【００１４】
【図１】引き違い方式の窓に設置した実施形態に係る磁気検知式センサの斜視図である。
【図２】分図（ａ）は、引き違い方式の窓に設置した実施形態に係る磁気検知式センサの水平面を切断面とした断面図であり、説明の便宜上、画策用マグネットを同時に図示したものである。分図（ｂ）は、引き違い方式の窓に設置した実施形態に係る磁気検知式センサの鉛直面である分図（ａ）のＡ−Ａ切断線で示した切断面における断面図であり、説明の便宜上、画策用マグネットを同時に図示したものである。
【図３】分図（ａ），（ｂ）は実施形態に係る磁気検知式センサが有するリードスイッチの機能説明図であり、分図（ｃ），（ｄ）は実施形態に係る磁気検知式センサが有するＭＲセンサの機能説明図である。
【図４】実施形態に係る磁気検知式センサの画策行為検出ロジックを説明する図であって、窓が基準位置にあって画策行為がない場合を示す図である。
【図５】実施形態に係る磁気検知式センサの機能ブロック図である。
【図６】実施形態に係る磁気検知式センサの画策行為検出ロジックを説明する図であって、窓が基準位置にあって画策マグネットが正規マグネットと同極で配置された場合を示す図である。
【図７】実施形態に係る磁気検知式センサの画策行為検出ロジックを説明する図であって、窓が基準位置にあって画策マグネットが正規マグネットと異極で配置された場合を示す図である。
【図８】実施形態に係る磁気検知式センサの画策行為検出ロジックを説明する図であって、検知ユニットに対して画策マグネットンのみが対向している場合を示す図である。
【図９】分図（ａ）は、実施形態に係る磁気検知式センサの画策行為検出ロジックを説明する図であって、設置時に規準位置にずれが生じて第１磁界検知部とこれを挟む２つの磁界検知部の一方が磁界を検出している状態を示す図である。分図（ｂ）は、実施形態に係る磁気検知式センサの画策行為検出ロジックを説明する図であって、設置後に生じたがたつきによって規準位置にずれが生じ、第１磁界検知部とこれを挟む２つの磁界検知部の他方が磁界を検出するようになった状態を示す図である。
【図１０】従来の磁気検知式センサを引き違い方式の窓に設置した状態を示す斜視図である。
【発明を実施するための形態】
【００１５】
本発明の実施形態を図１〜図９を参照して説明する。
実施形態の磁気検知式センサ１は、位置関係を相対的に変更できる２つの部材に取り付けられ、両部材が所定の位置関係となる基準位置と、この基準位置とは異なる他の位置のいずれに両部材が存在しているかを検知するためのセンサである。具体的には、家屋等に設けられた窓や扉等の開閉部分に設置されて当該窓等の開閉状態を検知するセキュリティの目的に適したセンサである。
【００１６】
まず、実施形態の構成について説明する。
図１は、位置関係を相対的に変更できる２つの部材の一例として、引き違い方式の窓を例示・図示した実施形態の斜視図である。また図２（ａ）は図１における水平面を切断線とする平断面図であり、図２（ｂ）は図２（ａ）のＡ−Ａ切断線における断面図である。図２（ａ）及び（ｂ）は、いずれも後の説明の便宜上、後述する画策用マグネット１５も同時に図示している。
【００１７】
図１及び図２に示すように、引き違い方式の窓を構成する２枚のサッシ２，３の内、屋内側のサッシ２（図１及び図２（ｂ）において右側のサッシ２、図２（ａ）において下側のサッシ２）の縦枠４の外面には検知ユニット５が取り付けられている。また、屋外側のサッシ３（図１及び図２（ｂ）において左側のサッシ３、図２（ａ）において上側のサッシ３）のガラス６の内面（屋内側の面）において、前記検知ユニット５と対向する位置にはマグネット７が設置されている。すなわち、図１及び図２に示すように、サッシ２，３が閉められた状態において検知ユニット５とマグネット７は互いに対向し、両者の距離が最も近くなるような位置関係で配置されている。
【００１８】
なお、実施形態では、サッシ２，３が閉められた上記状態を両サッシ２，３の基準位置と称するものとする。従って、両サッシ２，３の一方又は両方を移動させて窓の少なくとも一部を開いた場合には、その移動の程度に係わらず、両サッシ２，３は基準位置以外の位置にあることとなる。
【００１９】
図１及び図２（ｂ）に示すように、検知ユニット５は、筐体８の内部に回路基板９を備えており、その回路基板９上には、第１の磁界検知部としてのリードスイッチ１０と、このリードスイッチ１０を挟む両側の各位置に、第２及び第３の磁界検知部として第１のＭＲセンサ１１及び第２のＭＲセンサ１２を有している。
【００２０】
図３（ａ），（ｂ）に示すように、リードスイッチ１０は、２本の長体状のリードを互いに反対側から所定の間隔をおいて平行に配置し、各リードの接点が長手方向と直交する方向に間隔をおいて対向するように構成した素子である。このリードスイッチ１０に磁石等の磁界が作用した場合、図３（ａ）に示すように、磁力線の方向とリードスイッチ１０のリードの方向が一致すると、接点は磁力線の方向と交差する方向の力を受けて接触し、リードスイッチ１０の出力はＯＮとなる。逆に、図３（ｂ）に示すように、磁力線の方向とリードスイッチ１０のリードの方向が異なる場合には、接点は開いたままとなり、リードスイッチ１０の出力はＯＦＦとなる。このようにリードスイッチ１０が磁界の作用を受けてＯＮとなる場合のリードスイッチ１０の長手方向又はこれに一致する磁界の方向、すなわちスイッチのＯＮ，ＯＦＦを切り換えるのに必要な磁気感度が得られる方向を、便宜上、リードスイッチ１０の動作磁界方向と呼ぶ。
【００２１】
図３（ｃ），（ｄ）に示すように、ＭＲセンサ１１，１２は磁気感度が最大となる所定の動作磁界方向を備えている。このＭＲセンサ１１，１２に磁石等の磁界が作用した場合、図３（ｃ）に示すように、磁力線の方向とＭＲセンサ１１，１２の動作磁界方向が一致すると、ＭＲセンサ１１，１２の内部の抵抗値が変化し、ＭＲセンサ１１，１２の出力はＯＮとなる。逆に、図３（ｄ）に示すように、磁力線の方向とＭＲセンサ１１，１２の動作磁界方向が異なる場合には、ＭＲセンサ１１，１２の内部の抵抗値は変化しないため、ＭＲセンサ１１，１２の出力はＯＦＦのままとなる。
【００２２】
以上説明したリードスイッチ１０及び２個のＭＲセンサ１１，１２の検知ユニット５における配置と、リードスイッチ１０及び２個のＭＲセンサ１１，１２とマグネット７との位置関係について、図１、図２（ｂ）及び図４を参照してさらに説明する。
【００２３】
図１及び図２（ｂ）に示すように、正規のマグネット７は、上下の各端部をＮ極又はＳ極とする直方体形状の棒磁石であり、サッシ３のガラス６の内面に対して鉛直方向に平行に取り付けられている。従って、マグネット７の両極から出た磁力線は、図４に示すように、その中央部分では鉛直方向に略平行になる。なお、図４では鉛直方向を左右方向に変えて表現している。
【００２４】
図１及び図２（ｂ）に示すように、サッシ２の縦枠４に取り付けられた検知ユニット５の内部では、サッシ２，３の移動方向と直交する鉛直方向に沿って回路基板９が配置されており、この回路基板９の中央には、その動作磁界方向が鉛直方向に平行となるようにリードスイッチ１０が配置されている。ここで、図１において、前述したマグネット７の長手方向の中央を通り、水平方向に伸びる直線を仮想すると、両サッシ２，３が基準位置にある場合には、この直線はリードスイッチ１０の略中央を通過する。この直線を、基準位置において互いに対向するマグネット７と検知ユニット５（又はリードスイッチ１０）を結ぶ直線であるとの意味において、便宜上、対向軸Ｌと称する。基準位置においてマグネット７を通過する対向軸Ｌは、マグネット７の磁力線にとって対称軸となる。
【００２５】
図１及び図２（ｂ）に示すように、検知ユニット５の内部では、第１のＭＲセンサ１１及び第２のＭＲセンサ１２が、対向軸Ｌを含む鉛直面内において、対向軸Ｌを挟む上方と下方の各位置に軸対称で配置されている。ここで、第１のＭＲセンサ１１及び第２のＭＲセンサ１２は、鉛直面内においてリードスイッチ１０の真上及び真下の位置にあるのではなく、対向軸Ｌを含む鉛直面内において、対向軸Ｌに直交してリードスイッチ１０を通過する鉛直線よりも、マグネット７とは反対側に等寸法だけ離れた位置に配置されている。つまり、図２（ｂ）から明らかなように、第１のＭＲセンサ１１及び第２のＭＲセンサ１２は、リードスイッチ１０よりもマグネット７から離れている。
【００２６】
図４は、基準位置におけるリードスイッチ１０の配置及び動作磁界方向（矢印参照）と、２個のＭＲセンサ１１，１２の配置及び動作磁界方向（矢印参照）と、マグネット７の磁界の状態（図示磁力線参照）を示した図である。この図から分かるように、サッシ２，３が基準位置にある場合には、リードスイッチ１０はマグネット７から生じる磁界を検知する位置にあり、２個のＭＲセンサ１１，１２はマグネット７から生じる磁界を検知しない位置にある。
【００２７】
図５は、実施形態に係る磁気検知式センサ１の機能ブロック図である。
前述したように、磁気検知式センサ１は、検知ユニット５とマグネット７から構成されており、検知ユニット５は、磁界検知部（図中ＳＷ１〜３として表示）として、リードスイッチ１０と２個のＭＲセンサ１１，１２を備えている。制御部２０は、判定手段を含み、検知ユニット５の各部を制御する。記憶部２１は、制御部２０の動作プログラム、窓の開閉状態等を記憶する。送信部２２は、制御部２０における判定手段からの信号を遠隔の監視部に無線送信する。無線にて送信するため、窓を開閉するときにも配線が邪魔になることがない。電池２３は検知ユニット５を駆動する電力を供給する。
【００２８】
次に、実施形態の作用・効果等について説明する。
図１及び図２に示すように、２つのサッシ２，３が基準位置にある場合には、正規のマグネット７と検知ユニット５は互いに対向する基準位置にある。ここで、図１と同様、図２（ａ）及び（ｂ）においても画策用マグネット１５が存在しないものとすれば、図４に示すように、リードスイッチ１０はマグネット７の磁界を検知してＯＮ信号を出力するが、第１及び第２のＭＲセンサ１１，１２はマグネット７の磁界を検知せず、ＯＦＦ状態となる。従って、制御部２０は、第１及び第２のＭＲセンサ１１，１２がＯＦＦ信号を出力したことに基づいて異常としての画策行為がなかったものと判定する。又は、画策行為があったと判定することはない。また、制御部２０は、リードスイッチ１０がＯＮ信号を出力したことに基づいて２つのサッシ２，３が基準位置に有ると判定する。送信部２２から判定結果の通報を無線で受けた遠隔の監視部では、当該窓は閉止されており、画策行為はないとの状況を認識することができる。
【００２９】
２つのサッシ２，３の一方又は両方を移動し、２つのサッシ２，３が基準位置に存在しなくなった場合には、マグネット７と検知ユニット５は互いに対向する位置は存在しなくなり、離れた状態となる。このため、非正規のマグネットを近づける等の画策行為がなければ、リードスイッチ１０及び２個のＭＲセンサ１１，１２はいずれもマグネット７の磁界を検知せず、ＯＦＦとなる。従って、制御部２０は、第１及び第２のＭＲセンサ１１，１２がＯＦＦ信号を出力したことに基づいて画策行為がなかったものと判定する。また、制御部２０は、リードスイッチ１０がＯＦＦ信号を出力したことに基づいて２つのサッシ２，３が基準位置以外の位置に有ると判定する。送信部２２から判定結果の通報を無線で受けた遠隔の監視部では、当該窓は開いており、画策行為はないとの状況を認識することができる。
【００３０】
図６は、２つのサッシ２，３が基準位置にあり、窓が閉まっている状態において、画策行為があった第１の場合である。
これは、画策者が、画策用マグネット１５を正規のマグネット７に対して互いに反発する同極の磁極が近接するような位置関係で接近させた場合である。この場合、正規のマグネット７の磁界は磁力線が増え、より遠方にまで達するように変化するため、この変化したマグネット７の磁界はリードスイッチ１０だけでなく、第１及び第２のＭＲセンサ１１，１２も検知するようになる。制御部２０は、第１及び第２のＭＲセンサ１１，１２が磁界を検知した結果であるＯＮ信号の出力に基づいて画策行為があったと判定し、監視部に通報する。
【００３１】
図７は、２つのサッシ２，３が基準位置にあり、窓が閉まっている状態において、画策行為があった第２の場合である。
これは、画策者が、画策用マグネット１５を正規のマグネットに対して互いに引き寄せられる異極の磁極が近接するような位置関係で接近させた場合である。この場合、マグネット７の磁界は磁力線が減少し、より近傍にしか存在しなくなるため、リードスイッチ１０と第１及び第２のＭＲセンサ１１，１２のいずれもが磁界を検知しなくなる。制御部２０は、第１及び第２のＭＲセンサ１１，１２が磁界を検知していないため画策行為があったとは判定しないが、リードスイッチ１０がＯＦＦ信号を出力した結果に基づいて窓が開放されたと判定し、監視部に通報する。
【００３２】
ここで図７に示す基準位置から、画策者が検知ユニット５と画策用マグネット１５との位置関係を保ちながら、２つのサッシ２，３の一方又は両方を移動させ、窓を開放した場合を検討する。この場合には、正規のマグネット７は基準位置とは異なる位置に移動し、検知ユニット５に画策用マグネット１５のみが対向した図９に示す状態となる。この場合、検知ユニット５のリードスイッチ１０と第１及び第２のＭＲセンサ１１，１２のいずれもが画策用マグネット１５の磁界を検知する状態となる。制御部２０は、リードスイッチ１０がＯＮ信号を出力したため窓が閉鎖されたと判定するが、第１及び第２のＭＲセンサ１１，１２が磁界を検知してＯＮ信号を出力したため画策行為があったと判定し監視部に通報する。
【００３３】
実施形態の構成によれば、図９に示すように、画策行為がない場合において、リードスイッチ１０が磁界を検知し、かつ第１又は第２のＭＲセンサ１１，１２のいずれか一方が磁界を検知する場合が考えられる。このような状態は、設置時に検知ユニット５又はマグネット７の一方又は両方の設置位置にずれがあった場合や、設置後に何らかの原因で設置位置がずれてしまった場合、さらには窓のサッシ２，３自体に何らかの不具合が生じた場合に発生しうる。このような状態が検知された場合には、制御部２０は、画策行為があったとは判定せず、２つのサッシ２，３が基準位置に有り、窓は閉止されているものと判定するので、誤報が生じることはない。しかしながら、リードスイッチ１０と２つのＭＲセンサ１１，１２が上述のような出力をした場合には、正常な基準位置における出力とは異なることに鑑み、検知ユニット５又はマグネット７の設置位置やサッシ２，３自体の状態に何らかの問題がある可能性を示唆する情報として、これを監視部に無線送信し、監視部がユーザーに報知し、必要に応じて点検又は確認を促すようにしてもよい。また、この報知は、検知ユニット５に音や光を発する報知部を設けて行なってもよい。
【００３４】
以上説明したリードスイッチ１０及び２個のＭＲセンサ１１，１２の検知ユニット５における配置と、リードスイッチ１０及び２個のＭＲセンサ１１，１２とマグネット７との位置関係は一例であり、非正規のマグネット（画策マグネット１５）による画策行為を検出するためには、種々の配置及び位置関係を採用することができる。例えば、正規のマグネット７の磁力の強さ、リードスイッチ１０及び２個のＭＲセンサ１１，１２の各磁界検知性能、そして予想される画策用マグネット１５の磁力の強さ、さらには取付対象であるサッシ２，３の取付部の寸法等も考慮に入れ、サッシ２，３が基準位置にあるときにはリードスイッチ１０が磁界を検知してＯＮとなり、画策用マグネット１５による画策行為があったときには２個のＭＲセンサ１１，１２が共に磁界を検知してＯＮとなるように、前記配置及び位置関係等を実験によって決定すればよい。
【００３５】
特に、ＭＲセンサ１１，１２の設置位置については、画策用マグネット１５が近づけられて磁界の強さが変化したときに、その変化量が顕著に現れる場所に設けることが好ましい。すなわち、マグネットの磁力線はＮ極からＳ極に回り込むようにして出入りするので、磁極付近の磁力線が密になっている。このため、この場所に他の磁界の影響が加わると、その影響は、その密な磁力線の全てに影響を及ぼし、この場所の近傍の磁界の強さが大きく変化する。これに対し、例えば、正規のマグネット７とリードスイッチ１０の対向軸Ｌ上は、もともと磁力線が疎なため、この場所に他の磁界の影響が加わっても付近の磁界の強さは磁極付近ほど大きくは変化しない。従って、画策用マグネット１５による磁界の影響を感度よく検知するためには、画策用マグネット１５による影響が顕著に現れる場所、すなわち正規のマグネット７の磁極のなるべく近くにＭＲセンサ１１，１２を配置するのが好適である。
【００３６】
ただし、ＭＲセンサ１１，１２をあまりにも磁極に近づけすぎると、正規のマグネット７の磁界の強さだけで検知した状態になってしまう。また、例えば、Ｎ極から出た密な磁力線が回り込んだ部分のさらに内側の領域は、逆に磁力線が疎な部分となっているが、ここは領域としては狭すぎてＭＲセンサ１１，１２を配置するのには好適な場所とは言えない。なぜなら、ここにＭＲセンサ１１，１２を設置するとすれば、正規マグネット７と検知ユニット５との設置基準を厳格にする必要が出てきてしまうからである。
【００３７】
以上から、ＭＲセンサ１１，１２の設置位置としては、正規のマグネット７の磁力線が密な場所の近傍であり、正規のマグネット７の磁界の強さのみでは検知しない場所であり、かつ設置基準が厳格になり過ぎない位置が適当である。具体的には、実施形態で説明したような位置が最適である。なお、実施形態では、ＭＲセンサ１１，１２が同じ検知感度を有するので、対向軸Ｌに対して対称な位置に設置したが、例えば、ＭＲセンサ１１の方がＭＲセンサ１２よりも検知感度が弱い場合には、ＭＲセンサ１１は、画策マグネットが近接したときの磁界の変化をより強く受ける位置、例えば、正規マグネットの磁極により近い位置に設置されることとなる。
【００３８】
また、以上説明した実施形態では、検知ユニット５の磁気検出手段としてはリードスイッチ１０とＭＲセンサ１１，１２を説明したが、これ以外の原理の磁気センサ又は磁気感応スイッチ等を用いてもよい。また、実施形態の磁気検知式センサ１は窓のサッシ２，３に取り付けたが、引き違い式以外の窓、各種形式の扉、そしてシャッター等、引き違い式の窓とは部材の移動態様が異なるその他の相対移動可能な部材に取り付けることができるのはもちろんである。
【００３９】
また、以上説明した実施形態では、２つのサッシ２，３は両方とも移動可能であったが、一方のサッシが固定で他方のサッシが移動可能である場合にも実施形態の磁気検知式センサ１は適用可能であり、その場合には、検知ユニット５は無線であるため、検知ユニット５とマグネット７のいずれを可動側に設けてもよい。
なお、磁気検知式センサ１からの判定結果の通報を受信する監視部は、窓の開放や画策行為の判定結果を受信した場合に利用者に報知を行なう警戒モードと、窓の開放や画策行為の判定結果を受信した場合に利用者に報知を行なわない解除モードとを備えてよい。
この場合、監視部は、利用者の操作によって監視部に対して警戒モード又は解除モードを設定可能な操作部を有し、利用者の操作によって設定された警戒モード又は解除モードを記憶部に記憶しておく。そして、監視部は、窓の開放や画策行為の判定結果を受信したときに、記憶部を参照し、警戒モードを記憶していれば利用者など外部への報知を行い、解除モードを記憶していれば報知を行なわないように構成すればよい。
【符号の説明】
【００４０】
１…磁気検知式センサ
２…位置関係を相対的に変更可能な２つの部材の一方としてのサッシ（屋内側）
３…位置関係を相対的に変更可能な２つの部材の他方としてのサッシ（屋外側）
５…検知ユニット
７…正規のマグネット
１０…第１の磁界検知部であるリードスイッチ
１１…第２の磁界検知部である第１のＭＲセンサ
１２…第３の磁界検知部である第２のＭＲセンサ
２０…制御部
Ｌ…対向軸
【図１】
2015191510.tif 000003
【図２】
2015191510.tif 000004
【図３】
2015191510.tif 000005
【図４】
2015191510.tif 000006
【図５】
2015191510.tif 000007
【図６】
2015191510.tif 000008
【図７】
2015191510.tif 000009
【図８】
2015191510.tif 000010
【図９】
2015191510.tif 000011
【図１０】
2015191510.tif 000012